(57)【要約】【課題】店頭では持ち去りを防止でき、購入後には商品容器から簡単に取り外すことができる取付広告具を提供する。【解決手段】側板１，２を繋いで周壁を形成し、側板１の下縁から延出した係止片７を内側へ折り込んでペットボトルＢのネック部に係合させ、側板１の上縁から延出した天板８を閉じる取付広告具において、側板１と係止片７及び天板８との境界をなす罫線を弓状に反らせて、側板１が膨出曲面となるようにし、外側へ湾曲した側板１の復元力により、対向する係止片７の先端縁が接近して、ペットボトルＢのネック部が挟み込まれるようにする。また、側板１に縦方向の切裂帯１２を設け、その切断に伴い側板１が切り開かれて、係止片７とペットボトルＢとの係合が解除されるようにする。【選択図】図４
2006293128.tif 000002
【特許請求の範囲】
【請求項１】
側板を繋いで周壁を形成し、側板の下縁から延出した係止片を内側へ折り込んで商品容器のネック部に係合させ、側板の上縁から延出した天板を閉じる商品容器への取付広告具において、前記側板と係止片及び天板との境界をなす罫線を弓状に反らせて、側板が膨出曲面となるようにしたことを特徴とする取付広告具。
【請求項２】
前記側板に、縦方向の切裂帯を設け、その切断に伴い側板が切り開かれて、係止片と商品容器との係合が解除されるようにしたことを特徴とする請求項１に記載の取付広告具。
【請求項３】
前記係止片に、商品容器のネック部を嵌め込む切欠部を設けたことを特徴とする請求項１又は２に記載の取付広告具。
【発明の詳細な説明】
【技術分野】
【０００１】
この発明は、商品容器に取り付けて広告効果を高めたり、景品を収納したりする取付広告具に関するものである。
【背景技術】
【０００２】
一般に、商品の販売促進のため、店頭での陳列に際し、商品容器のネック部に、景品を収納した袋を引っ掛けて店頭で陳列しておき、商品の購入者が商品と共に景品を持ち帰れるようにすることが行われている。
【０００３】
また、この袋に代えて、下記特許文献１では、天板の周囲に連設した側板を四角筒状に繋いで、その内部に景品収納空間を形成し、対向する側板の下縁から延びる係止片を内側へ折り込んで、商品容器のネック部に係合させる取付広告具が提案されている。
【０００４】
【特許文献１】特開２００３−２９５７６６号公報
【発明の開示】
【発明が解決しようとする課題】
【０００５】
しかしながら、商品容器のネック部に袋を引っ掛けるだけでは、商品を購入することなく、景品を収納した袋だけが持ち去られる恐れがある。
【０００６】
また、特許文献１に記載の取付広告具でも、商品容器への係止が外れやすく、景品を収納した取付広告具だけが持ち去られる恐れがある。
【０００７】
その対策として、樹脂成形した取付広告具を商品容器のネック部に嵌め込むことも考えられているが、この場合、取付広告具が商品容器に堅固に係合して、商品購入後に取り外しにくくなることがある。
【０００８】
そこで、この発明は、店頭では持ち去りを防止でき、購入後には商品容器から簡単に取り外すことができる取付広告具を提供することを課題とする。
【課題を解決するための手段】
【０００９】
上記課題を解決するため、この発明は、側板を繋いで周壁を形成し、側板の下縁から延出した係止片を内側へ折り込んで商品容器のネック部に係合させ、側板の上縁から延出した天板を閉じる商品容器への取付広告具において、前記側板と係止片及び天板との境界をなす罫線を弓状に反らせて、側板が膨出曲面となるようにし、外側へ湾曲した側板の復元力により、対向する係止片の先端縁が接近して、商品容器のネック部を挟み込むようにしたのである。
【００１０】
また、前記側板に、縦方向の切裂帯を設け、その切断に伴い側板が切り開かれて、係止片と商品容器との係合が解除されるようにしたのである。
【００１１】
なお、商品容器がボトルである場合には、前記係止片に、商品容器のネック部を嵌め込む切欠部を設けておくとよい。
【発明の効果】
【００１２】
このような取付広告具を商品容器に取り付けると、湾曲した側板や係止片の復元力により、商品容器のネック部が係止片で挟み込まれ、取付広告具が商品容器に確実に係合するので、店頭での取付広告具の持ち去りを防止できる。
【００１３】
また、商品購入後には、切裂帯の切断に伴い側板を切り開いて、商品容器に対する係止片の係合を解除することにより、取付広告具を簡単に取り外すことができる。
【発明を実施するための最良の形態】
【００１４】
まず、この発明の第１実施形態を図１乃至図６に基づいて説明する。
【００１５】
この取付広告具は、飲料のペットボトルに取り付けられるものであり、図１に示す板紙製ブランクから形成される。このブランクでは、側縁が傾斜した各一対の側板１及び側板２が交互に連設され、一方の側板１の外縁には継代片３が、その反対側の側板２の外縁には継代片４がそれぞれ連設されている。各側板２及び継代片３の上縁には折曲片５が連設され、側板２から折曲片５にかけて折畳用の罫線６が入れられている。
【００１６】
各側板１の下縁には係止片７が、上縁には天板８がそれぞれ連設され、側板１と係止片７との境界をなす罫線は、上向き弧状に湾曲し、側板１と天板８の境界をなす罫線は、下向き弧状に湾曲している。係止片７の先端縁中央部には、ペットボトルのネック部を嵌め込む切欠部９が設けられている。
【００１７】
一方の天板８の先端縁中央部には閉止片１０が、他方の天板８の基端中央部には差込穴１１がそれぞれ設けられ、一方の側板１及びこれに繋がる係止片７には、ジッパ型の切裂帯１２が設けられている。
【００１８】
上記のようなブランクから取付広告具を組み立てるには、ブランクを罫線６に沿って１８０°折り曲げ、継代片３を側板２の外面に、継代片４を側板１の内面に貼り付ける。この状態では、取付広告具は扁平になっているので、嵩張ることなく輸送し、保管しておくことができる。
【００１９】
そして、この取付広告具をペットボトルに取り付ける際には、図２に示すように、側板２の折り曲げを伸ばし、両側から側板２を押して、各側板１を外側へ湾曲するように撓ませ、係止片７を内側へ折り込み、図３乃至図５に示すように、ペットボトルＢのネック部を切欠部９に嵌め込む。
【００２０】
その後、天板８を開けた状態で、取付広告具の内部に景品を収納し、折曲片５を内側に折り込んで、２枚の天板８を重ね合わせるように閉じ、閉止片１０を差込穴１１に差し込んで封緘する。なお、図示のように、ペットボトルＢに取付広告具を取り付ける際、天板８を閉じておいてもよい。
【００２１】
このように取付広告具をペットボトルＢに取り付けると、膨出曲面となった側板１により優れた広告効果が発揮され、景品の説明等を表裏に印刷しておくこともでき、リーフレット等を別途挿入する必要がなくなる。また、取付広告具に景品を収納することなく、取付広告具のデザインで広告効果を得ることもできる。
【００２２】
そして、湾曲した側板１や係止片７の復元力により、ペットボトルＢのネック部が係止片７の切欠部９で挟み込まれ、取付広告具がペットボトルＢに確実に係合するので、店頭での取付広告具の持ち去りを防止できる。
【００２３】
また、消費者がペットボトルＢを購入した後においては、図６に示すように、切裂帯１２を切断して、側板１を切り開くと、ペットボトルＢに対する係止片７の係合が解除されるので、取付広告具を簡単に取り外すことができ、解体した取付広告具は、一般の可燃ごみとして廃棄することができる。
【００２４】
ところで、上記実施形態では、１本のペットボトルＢに取り付ける取付広告具を例示したが、複数本のペットボトルを束ねて販売する場合、係止片７に複数の切欠部９を設け、各ペットボトルのネック部にそれぞれの切欠部９を嵌め込むようにしてもよい。また、ペットボトル以外のガラス製のボトルや金属製のボトルに取り付けてもよい。
【００２５】
次に、この発明の第２実施形態を図７乃至図１１に基づいて説明する。
【００２６】
この取付広告具は、飲料の缶に取り付けられるものであり、図７に示す板紙製ブランクから形成される。このブランクでは、各一対の側板１及び側板２が交互に連設され、一方の側板１の外縁に継代片３が連設されている。各側板２の上縁には折曲片５が連設され、その基部は谷折線及び斜めの山折線を介して側板１及び継代片３に繋がっている。
【００２７】
各側板１、側板２及び継代片３の下縁には、跨るように係止片７が連設され、側板１と係止片７の境界をなす罫線は、側板１の中央側へかけて下方に傾斜しており、係止片７は側板１，２の中間部で途切れている。各側板１の上縁には天板８がそれぞれ連設され、側板１と天板８の境界をなす罫線は、下向き弧状に湾曲している。
【００２８】
天板８の先端縁には、複数の閉止片１０が交互に噛合するように突設され、一方の側板１及びこれに繋がる天板８には、ジッパ型の切裂帯１２が設けられている。
【００２９】
上記のようなブランクから取付広告具を組み立てるには、ブランクを側板１，２の一側の境界をなす罫線に沿って１８０°折り曲げ、継代片３を側板１の内面に貼り付ける。この状態では、取付広告具は扁平になっているので、嵩張ることなく輸送し、保管しておくことができる。
【００３０】
そして、この取付広告具を缶に取り付ける際には、図８に示すように、側板２を両側から押して各側板１を外側へ湾曲するように撓ませ、係止片７を内側へ折り込み、図９及び図１０に示すように、缶Ｃに取付広告具を被せると、係止片７が折曲部の反発により缶Ｃのネック部のフランジに係合し、取付広告具が缶Ｃに固定される。
【００３１】
その後、天板８を開けた状態で、取付広告具の内部に景品を収納し、折曲片５を基端側が谷折りになるように内側に折り込んで、２枚の天板８を閉じ、各天板８の閉止片１０を噛み合わせて封緘する。なお、図示のように、缶Ｃに取付広告具を取り付ける際、天板８を閉じておいてもよい。
【００３２】
このように取付広告具を缶Ｃに取り付けると、膨出曲面となった側板１により優れた広告効果が発揮され、景品の説明等を表裏に印刷しておくこともでき、リーフレット等を別途挿入する必要がなくなる。また、取付広告具に景品を収納することなく、取付広告具のデザインで広告効果を得ることもできる。
【００３３】
そして、湾曲した側板１の復元力と、側板１，２の稜部で屈曲した係止片７の内側への迫り出しにより、缶Ｃのネック部が係止片７で挟み込まれ、取付広告具が缶Ｃに確実に係合するので、店頭での取付広告具の持ち去りを防止できる。
【００３４】
また、消費者が缶Ｃを購入した後においては、図１１に示すように、切裂帯１２を切断して、側板１を切り開くと、缶Ｃに対する係止片７の係合が解除されるので、取付広告具を簡単に取り外すことができ、解体した取付広告具は、一般の可燃ごみとして廃棄することができる。
【図面の簡単な説明】
【００３５】
【図１】この発明の第１実施形態に係る取付広告具のブランクを示す図
【図２】同上の組立過程を示す斜視図
【図３】同上のペットボトルへの取付過程を示す斜視図
【図４】同上のペットボトルへの取付状態を示す斜視図
【図５】同上の縦断側面図
【図６】同上の開封過程を示す斜視図
【図７】この発明の第２実施形態に係る取付広告具のブランクを示す図
【図８】同上の組立状態を下方から示す斜視図
【図９】同上の缶への取付状態を示す斜視図
【図１０】同上の下部切欠正面図
【図１１】同上の開封過程を示す斜視図
【符号の説明】
【００３６】
１，２  側板
３，４  継代片
５  折曲片
６  罫線
７  係止片
８  天板
９  切欠部
１０  閉止片
１１  差込穴
１２  切裂帯
Ｂ  ペットボトル
Ｃ  缶
【図１】
2006293128.tif 000003
【図２】
2006293128.tif 000004
【図３】
2006293128.tif 000005
【図４】
2006293128.tif 000006
【図５】
2006293128.tif 000007
【図６】
2006293128.tif 000008
【図７】
2006293128.tif 000009
【図８】
2006293128.tif 000010
【図９】
2006293128.tif 000011
【図１０】
2006293128.tif 000012
【図１１】
2006293128.tif 000013